(57)【要約】【課題】撮影シーンに応じた周辺光量補正を行うことで、最適な出力画像を得られるようなレンズ交換可能なカメラシステムを提供する。【解決手段】撮像光学系と、該撮像光学系の周辺光量に関する情報を記憶した記憶手段とを有する交換レンズと、前記撮像光学系により形成される被写体像を撮像する撮像素子と、周辺光量補正パラメータを設定する為のパラメータ設定手段と、前記撮像素子からの出力に対して周辺光量補正を行う補正手段とを備えた前記交換レンズを着脱可能なカメラ本体とを有する構成としている。【選択図】図１
2004094124.tif 000002
【特許請求の範囲】
【請求項１】
撮像光学系と、該撮像光学系の周辺光量に関する情報を記憶した記憶手段とを有する交換レンズと、前記撮像光学系により形成される被写体像を撮像する撮像素子と、周辺光量補正パラメータを設定する為のパラメータ設定手段と、前記撮像素子からの出力に対して周辺光量補正を行う補正手段とを備えた前記交換レンズを着脱可能なカメラ本体とを有することを特徴とするカメラシステム。
【請求項２】
前記記憶手段に記憶する周辺光量に関する情報は、ズーム、Ｆｎｏ、物体距離、および瞳位置に応じた周辺光量情報であり、実像高に応じた周辺光量情報であることを特徴とする請求項１に記載のカメラシステム。
【請求項３】
前記パラメータ設定手段は、前記撮像光学系の撮影条件に応じた周辺光量情報および、前記撮像素子からの出力画像に応じてパラメータを設定することを特徴とする請求項１または２に記載のカメラシステム。
【請求項４】
前記パラメータ設定手段は、設定ＩＳＯ感度に応じてパラメータを設定することを特徴とする請求項１から３のいずれかに記載のカメラシステム。
【請求項５】
前記パラメータ設定手段は出力画像を複数の領域に分割し、各領域の画像の状態に応じてパラメータを設定する事を特徴とする請求項１から４に記載のレンズ交換可能なカメラシステム。
【発明の詳細な説明】
【０００１】
【発明の属する技術分野】
本発明は、レンズ交換可能なデジタル一眼レフカメラを用いたカメラシステムに関するものであり、特に出力画像の周辺光量の補正に関するものである。
【０００２】
【従来の技術】
従来、撮像光学系に起因して発生する出力画像の周辺光量落ちを補正する為に撮像光学系のＦｎｏや射出瞳等の変化に応じて周辺光量落ちを補正することが知られている（例えば、特許文献１参照。）。
【０００３】
【特許文献１】
特開２０００−１９６９５３号公報
【０００４】
【発明が解決しようとする課題】
しかしながら、周辺光量落ちを画像処理により補正することにより、一方ではノイズの増加などの悪影響が発生するといった問題が生じる。また、撮影条件が同じであっても、撮影シーンによって前記周辺光量落ちの目立ち方が異なる為、従来の撮影条件のみにより周辺光量補正を行うと、過剰補正となってしまいノイズが目立ちすぎてしまうといった場合や、逆に補正不足により周辺光量落ちが目立ってしまう場合が生じてしまうといった問題がある。
【０００５】
本発明はこのような問題点に鑑みなされたもので、撮影シーンに応じた周辺光量補正を行うことで、最適な出力画像を得られるようなレンズ交換可能なカメラシステムを提供することを目的とするものである。
【０００６】
【課題を解決するための手段】
上記の目的を達成するために、本願第１の発明では、撮像光学系と、該撮像光学系の周辺光量に関する情報を記憶した記憶手段とを有する交換レンズと、撮像光学系により形成される被写体像を撮像する撮像素子と、周辺光量補正パラメータを設定する為のパラメータ設定手段と、撮像素子からの出力に対して周辺光量補正を行う補正手段とを備えた交換レンズを着脱可能なカメラ本体とを有する構成としている。
【０００７】
また、記憶手段に記憶する周辺光量に関する情報は、ズーム、Ｆｎｏ、物体距離、および瞳位置に応じた周辺光量情報であり、実像高に応じた周辺光量情報であることが望ましい。
【０００８】
なお、パラメータ設定手段は、撮像光学系の撮影条件に応じた周辺光量情報および、撮像素子からの出力画像に応じてパラメータを設定することが好ましい。
【０００９】
ここで、パラメータ設定手段は、設定ＩＳＯ感度に応じてパラメータを設定する構成としてもよい。
【００１０】
パラメータ設定手段は出力画像を複数の領域に分割し、各領域の画像の状態に応じてパラメータを設定することが好ましい。
【００１１】
【発明の実施の形態】
（第１実施形態）
図１は、本発明の第１実施形態であるカメラシステムを説明するための図である。図中１は交換レンズ、２は撮像光学系、３は該撮像光学系２の撮影条件に応じた周辺光量データを記憶する記憶手段、４はカメラボディ、５は前記撮像光学系２により形成される被写体像を撮像する為の撮像素子、６は前記撮像素子５からの出力画像の特徴を抽出する為の画像処理手段、７は前記撮像光学系２の撮影条件及び前記撮像素子５からの出力画像に応じて周辺光量補正パラメータを設定するパラメータ設定手段、８は該パラメータ設定手段６で設定された周辺光量補正パラメータに基づき前記撮像素子５からの出力画像に対して周辺光量補正を行う補正手段、９は該補正手段７で補正された画像を記録する為の記憶手段、１０は前記撮像光学系２の撮影条件及び該撮影条件での周辺光量情報等をカメラボディ側に通信する為の通信手段である。
【００１２】
以上のような構成により周辺光量補正を行う方法について図２を用いて説明する。撮影者が撮影動作を行うと（１０１）、前記撮像光学系２の撮影時の撮影条件での周辺光量に関する情報を通信手段１０を用いて前記パラメータ設定手段７に送信する（１０２）。また、前記撮像素子５からの出力画像を前記画像処理手段６においてフーリエ変換し画像の周波数特性を抽出する。（１０３）。前記パラメータ設定手段７では前記撮像光学系２の撮影条件での周辺光量情報及び前記撮像素子５からの出力画像の周波数特性を基に周辺光量補正のためのパラメータ設定を行う（１０４）。該パラメータ設定手段７で設定された周辺光量補正パラメータを基に前記補正手段８により前記撮像素子５からの出力画像に対して周辺光量補正を行う（１０５）。該補正手段８で補正された画像を出力画像として前記記録手段９に記憶する（１０６）。
【００１３】
ここで、前記撮像光学系の撮影条件を表すパラメータとしてはズーム、Ｆｎｏ、物体距離、瞳位置を用いる。また、前記画像処理手段７で抽出した出力画像の周波数特性により、周波数が高い成分が多い場合には、比較的細かい画像であると判断し、周辺光量補正を弱めに行うようにパラメータを設定したり、周波数が低い成分が多い場合には、比較的均一面が多いと判断し、周辺光量補正を強めに行うようにパラメータを設定したりする。これにより、前記撮像光学系２の周辺光量の状態及び被写体の状態を把握し、被写体の状態にあった周辺光量補正を行うことが可能となる。
【００１４】
また、前記画像処理手段７では出力画像の状態を把握する為に画像の周波数特性を抽出しているが、画像の色のヒストグラムなどを用いて画像の均一性を抽出しても良い
また、前記記憶手段３記憶している周辺光量情報は実像高に応じた情報とすると、従来の１３５フィルム用交換レンズをＡＰＳ−Ｃサイズなどの従来の１３５フィルムよりも小さな撮像面を有するカメラにおいても周辺光量の補正を簡単に、且つ適切に行う事が可能となる。
【００１５】
また、前記周辺光量補正のパラメータ設定を行う際には、自動的に行う場合と撮影者が好みに応じて、補正の強弱を設定できるようにしてもよいし、補正を行わないように設定できるようにしても良い。
【００１６】
（第２実施形態）
図３は本発明の第２実施形態を表す図であり、該第２実施形態の構成は図１と同様である。
【００１７】
図３を用いて本発明の第２実施形態について説明する。撮影者が撮影動作を行うと（２０１）、前記撮像光学系２の撮影時の撮影条件での周辺光量に関する情報を通信手段１０を用いて前記パラメータ設定手段７に送信する（２０２）。また、前記撮像素子５からの出力画像を前記画像処理手段７において複数の領域に分割し（２０３）、各領域の画像の周波数特性をフーリエ変換を行って抽出する（２０４）。前記パラメータ設定手段７では前記撮像光学系２の撮影条件での周辺光量情報及び前記画像処理手段６で抽出した前記撮像素子５からの出力画像の周波数特性を基に周辺光量補正のためのパラメータ設定を行う（２０４）。該パラメータ設定手段７で設定された周辺光量補正パラメータを基に前記補正手段８により前記撮像素子５からの出力画像に対して周辺光量補正を行う（２０５）。該補正手段８で補正された画像を出力画像として前記記録手段９に記憶する（２０６）。
【００１８】
ここで、前記撮像光学系の撮影条件を表すパラメータとしてはズーム、Ｆｎｏ、物体距離、瞳位置を用いる。また、前記画像処理手段７で抽出した出力画像の複数領域の各領域における周波数特性により、周波数が高い成分が周辺部にある場合には、比較的周辺光量落ちが目立ちにくいと判断し、周辺光量補正を弱めに行うようにパラメータを設定したり、周辺部に周波数が低い成分が多い場合には、比較周辺光量落ちが目立ちやすいと判断し、周辺光量補正を強めに行うようにパラメータを設定したりする。これにより、前記撮像光学系２の周辺光量の状態及び被写体の状態を把握し、被写体の状態にあった周辺光量補正を行うことが可能となる。
【００１９】
また、上述の画像処理手段７では出力画像の状態を把握する為に画像の周波数特性を抽出しているが、画像の色のヒストグラムなどを用いて画像の均一性を抽出しても良い
また、上述の記憶手段３が記憶している周辺光量情報は実像高に応じた情報とすると、従来の１３５フィルム用交換レンズをＡＰＳ−Ｃサイズなどの従来の１３５フィルムよりも小さな撮像面を有するカメラにおいても周辺光量の補正を簡単に、且つ適切に行う事が可能となる。
【００２０】
また、前記周辺光量補正のパラメータ設定を行う際には、自動的に行う場合と撮影者が好みに応じて、補正の強弱を設定できるようにしてもよいし、補正を行わないように設定できるようにしても良い。
【００２１】
【発明の効果】
以上説明したように、本願各発明によれば、撮像光学系の周辺光量落ちの状態と、撮影した画像の状態とに応じて周辺光量補正のパラメータを設定し補正することで、周辺光量の過剰補正や補正不足がなく、適切な周辺光量補正を行うことが可能なカメラシステムを提供することができる。
【図面の簡単な説明】
【図１】本発明の第１実施形態であるカメラシステムを説明するための図である。
【図２】本実施形態における周辺光量補正の方法を表す図である。
【図３】本発明の第２実施形態であるカメラシステムを説明するための図である。
【符号の説明】
１　交換レンズ
２　撮像光学系
３　記憶手段
４　カメラボディ
５　撮像素子
６　画像処理手段
７　パラメータ設定手段
８　補正手段
９　記録手段
１０　通信手段
【図１】
2004094124.tif 000003
【図２】
2004094124.tif 000004
【図３】
2004094124.tif 000005